(57)【要約】【課題】ワイヤーハーネスの圧接作業が容易で、しかも、ワイヤーハーネスを容易にストレインリリーフ構造にできる室内照明用機器を提供する。【解決手段】電線配策部１５に圧接端子１７が立設され、圧接端子１７にワイヤーハーネスの電線ｗが圧接接続された装置本体１０と、装置本体１０に固定され、電線配策部１５に配策されたワイヤーハーネスの電線ｗを覆う電線保護カバー１１とを備えたランプユニット２において、ワイヤーハーネスＷＨの電線保護カバー１１より出た箇所を屈曲させた状態で係止するワイヤーハーネス係止部２１を設けた。【選択図】図３
2009067089.tif 000002
【特許請求の範囲】
【請求項１】
電線配策部に圧接端子が立設され、前記圧接端子にワイヤーハーネスの電線が圧接接続された装置本体と、前記装置本体に装着され、前記電線配策部に配策された前記ワイヤーハーネスの前記電線を覆う電線保護カバーとを備えた室内照明用機器において、
前記ワイヤーハーネスの前記電線保護カバーより出た箇所を屈曲させた状態で係止するワイヤーハーネス係止部を設けたことを特徴とする室内照明用機器。
【請求項２】
請求項１記載の室内照明用機器であって、
前記ワイヤーハーネス係止部は、前記電線保護カバーに設けられたことを特徴とする室内照明用機器。
【請求項３】
請求項１記載の室内照明用機器であって、
前記ワイヤーハーネス係止部は、前記装置本体に設けられたことを特徴とする室内照明用機器。
【請求項４】
請求項１〜請求項３のいずれかに記載の室内照明用機器であって、
前記ワイヤーハーネス係止部は、前記電線保護カバー又は前記装置本体より延設され、且つ、双方の自由端側が互いに重なり合うように形成された２本の係止アームにて構成されたことを特徴とする室内照明用機器。
【発明の詳細な説明】
【技術分野】
【０００１】
本発明は、車室内を照らすために使用される室内照明用機器に関する。
【背景技術】
【０００２】
従来の室内照明装置としては、特許文献１及び特許文献２に開示されたものがある。この室内照明装置１００は、図１１に示すように、２つの室内照明用機器であるランプユニット１０１，１０２と、この間に配置された室内照明用機器であるスイッチユニット１０３と、２つのランプユニット１０１，１０２とスイッチユニット１０３を少なくとも配策経路とするワイヤーハーネスＷＨと、２つのランプユニット１０１，１０２とスイッチユニット１０３を収容し、車室の天井に固定される照明カバー１０４とを備えている。
【０００３】
各ランプユニット１０１，１０２は、図１２に示すように、装置本体１１０と、この装置本体１１０に装着された電線保護カバー１１１とを有する。装置本体１１０は、ハウジング１１２と、このハウジング１１２に着脱自在に設けられたランプ１１３と、ハウジング１１２に着脱自在に設けられた個別スイッチ１１４とを有する。ハウジング１１２の一方の面側には電線配策部１１５が形成されている。この電線配策部１１５には複数の圧接端子１１６が立設されている。電線配策部１１５にはワイヤーハーネスＷＨが配策され、ワイヤーハーネスＷＨの各電線ｗが所望の圧接端子１１６に圧接接続されている。個別スイッチ１１４は、点灯モードとドアモードが選択できるよう構成されている。
【０００４】
又、電線配策部１１５の両端に位置するハウジング１１２の左右側壁で、且つ、互いに対向する位置には、一対の係止凹部１１２ａが設けられている。
【０００５】
電線保護カバー１１１は、中央内面よりも下方に突出する一対の電線屈曲用突部１１１ａを有する。各電線屈曲用突部１１１ａの両側の側面には、係止爪１１１ｂが設けられている。電線保護カバー１１１は、電線配策部１１５に配策されたワイヤーハーネスＷＨ上を覆い、各係止爪１１１ｂがハウジング１１２の係止凹部１１２ａに係止されている。ワイヤーハーネスＷＨの各電線ｗは、電線保護カバー１１１の各電線屈曲用突部１１１ａによって屈曲されている。これによって、ワイヤーハーネスＷＨはストレインリリーフ構造とされている。ワイヤーハーネスＷＨに引っ張り力が作用すると、その引っ張り力がストレインリリーフ構造によって圧接箇所に直接作用しないようになっている。
【０００６】
スイッチユニット１０３は、図１１に示すように、電線配策部（図示せず）に圧接端子（図示せず）が立設され、圧接端子にワイヤーハーネスＷＨの電線ｗが圧接接続された装置本体１２０と、装置本体１２０に装着され、電線配策部に配策された電線ｗを覆う電線保護カバー１２１と、装置本体１２０に設けられたモード切替スイッチ（図示せず）とを備えている。モード切替スイッチは、消灯モードとドアモードを選択できるよう構成されている。
【０００７】
モード切替スイッチによって消灯モードが選択されると、各個別スイッチ１１４によって点灯モードが選択されてもランプ１１３は点灯されない。モード切替スイッチによってドアモードが選択され、且つ、各個別スイッチ１１４によって点灯モードが選択されると、当該個別スイッチ１１４に対応するランプ１１３がドアの開閉状態に係わらず点灯される。モード切替スイッチによってドアモードが選択され、且つ、個別スイッチ１１４によってもドアモードが選択されると、ドアの開放を条件としてランプ１１３が点灯される。このように、乗員の好みに応じてランプの点灯パターンを選択できる。
【０００８】
次に、ランプユニット１０１，１０２にワイヤーハーネスＷＨを配策する作業について説明する。装置本体１１０の電線配策部１１５の所定位置にワイヤーハーネスＷＨをセットする。セットしたワイヤーハーネスＷＨを圧接端子１１６側に押圧し、ワイヤーハーネスＷＨの各電線ｗを所望の圧接端子１１６に圧接接続する。圧接接続したワイヤーハーネスＷＨを覆うように電線保護カバー１１１を装置本体１１０に装着すれば圧接作業が完了する。
【特許文献１】特開２００６−６２６４０号公報
【特許文献２】特開２００５−２６３０７８号公報
【発明の開示】
【発明が解決しようとする課題】
【０００９】
しかしながら、前記従来のランプユニット１０１，１０２では、ワイヤーハーネスＷＨの圧接作業を容易に行うことができない。つまり、ワイヤーハーネスＷＨを圧接端子１１６に圧接した後に予めワイヤーハーネスＷＨを屈曲させ、この屈曲状態を維持しつつ電線保護カバー１１１を装置本体１１０に装着するか、予めワイヤーハーネスＷＨを屈曲させない場合には、電線保護カバー１１１を装置本体１１０に装着する過程で一対の電線屈曲用突部１１１ａでワイヤーハーネスＷＨを屈曲させながら電線保護カバー１１１を装置本体１１０に装着する必要があるため、ワイヤーハーネスＷＨの圧接作業が容易ではない。
【００１０】
そこで、本発明は、前記した課題を解決すべくなされたものであり、ワイヤーハーネスの圧接作業が容易で、しかも、ワイヤーハーネスを容易にストレインリリーフ構造にできる室内照明用機器を提供することを目的とする。
【課題を解決するための手段】
【００１１】
請求項１の発明は、電線配策部に圧接端子が立設され、前記圧接端子にワイヤーハーネスの電線が圧接接続された装置本体と、前記装置本体に装着され、前記電線配策部に配策された前記ワイヤーハーネスの前記電線を覆う電線保護カバーとを備えた室内照明用機器において、前記ワイヤーハーネスの前記電線保護カバーより出た箇所を屈曲させた状態で係止するワイヤーハーネス係止部を設けたことを特徴とする。
【００１２】
請求項２の発明は、請求項１記載の室内照明用機器であって、前記ワイヤーハーネス係止部は、前記電線保護カバーに設けられたことを特徴とする。
【００１３】
請求項３の発明は、請求項１記載の室内照明用機器であって、前記ワイヤーハーネス係止部は、前記装置本体に設けられたことを特徴とする。
【００１４】
請求項４の発明は、請求項１〜請求項３のいずれかに記載の室内照明用機器であって、前記ワイヤーハーネス係止部は、前記電線保護カバー又は前記装置本体より延設され、且つ、双方の自由端側が互いに重なり合うように形成された２本の係止アームにて構成されたことを特徴とする。
【発明の効果】
【００１５】
請求項１の発明によれば、ワイヤーハーネスの各電線を電線配策部の所定位置にセットし、セットしたワイヤーハーネスの各電線を圧接端子側に押圧し、圧接接続したワイヤーハーネスを覆うように電線保護カバーを装置本体に装着し、この圧接作業に際してワイヤーハーネスを屈曲させる必要がない。そして、ワイヤーハーネスの圧接作業後に、ワイヤーハーネスを屈曲させてワイヤーハーネス係止部に係止することによってワイヤーハーネスをストレインリリーフ構造にする。従って、ワイヤーハーネスの圧接作業が容易で、しかも、ワイヤーハーネスを容易にストレインリリーフ構造にできる。
【００１６】
請求項２の発明によれば、請求項１の発明の効果に加え、ワイヤーハーネスの圧接作業に際してワイヤーハーネス係止部が圧接作業の邪魔になることがない。従って、ワイヤーハーネスの圧接作業が更に容易になる。
【００１７】
請求項３の発明によれば、請求項１の発明の効果に加え、ワイヤーハーネス係止部はワイヤーハーネスの屈曲箇所より撓み復帰による反力を受けるが、ワイヤーハーネス係止部は装置本体に設けられていることからワイヤーハーネスの反力を確実に受け止めることができる。従って、ワイヤーハーネスの反力によってワイヤーハーネスの圧接端子への圧接深さが浅くなったり、電線保護カバーが脱落方向に変移したりするような不具合を防止できる。
【００１８】
請求項４の発明によれば、請求項１〜請求項３のいずれかの発明の効果に加え、２本の係止アームの双方の先端側を撓み変形によって隙間が出来る方向に変移させてワイヤーハーネスを係止でき、又、ワイヤーハーネスを係止した後は、撓み復帰変形によって２本の係止アームの自由端側が重なり合う状態に戻るため、ワイヤーハーネスを確実に係止できる。従って、ワイヤーハーネスの係止作業が容易であり、しかも、ワイヤーハーネスの係止後にはワイヤーハーネスを確実に係止できる。
【発明を実施するための最良の形態】
【００１９】
以下、本発明の実施の形態を図面に基づいて説明する。
【００２０】
図１〜図８は本発明の室内照明用機器を適用した室内照明装置の実施の形態であり、図１は室内照明装置の斜視図、図２はランプユニットの斜視図、図３はランプユニットの断面図、図４はスイッチユニットの斜視図、図５は組み付け過程途中であり、ワイヤーハーネスの圧接作業後の室内照明装置の斜視図、図６は図５の組み付け過程途中のランプユニットの断面図、図７は組み付け加点途中であり、保護カバーを照明本体に装着した室内照明装置の斜視図、図８は図７の組み付け過程途中のランプユニットの断面図である。
【００２１】
図１に示すように、室内照明装置１は、２つの室内照明用機器であるランプユニット２，３と、この間に配置された室内照明用機器であるスイッチユニット４と、２つのランプユニット２，３とスイッチユニット４を少なくとも配策経路とするワイヤーハーネスＷＨとを備えている。
【００２２】
２つのランプユニット２，３及びスイッチユニット４は、照明カバー（図示せず）によって車室の天井（図示せず）に固定される。そして、例えば一方のランプユニット２のランプ（図示せず）がドライバー席を、他方のランプユニット３のランプ（図示せず）が助手席を照射位置にする。スイッチユニット４は、ドライバー席と助手席の例えば中間位置に位置される。
【００２３】
図２及び図３に詳しく示すように、各ランプユニット２，３は、装置本体１０と、この装置本体１０に装着された電線保護カバー１１とを有する。装置本体１０は、ハウジング１２と、このハウジング１２に着脱自在に設けられたランプ（図示せず）と、ハウジング１２に設けられた個別スイッチ１４とを有する。ハウジング１２の一方の面側には電線配策部１５が設けられている。この電線配策部１５にはワイヤーハーネスＷＨの各電線ｗを仕切る複数の仕切突起１６と共に複数の圧接端子１７が立設されている。各圧接端子１７は、バスバー（図示せず）の一端側を利用して形成されている。各バスバーの他端側は、ランプ（図示せず）や個別スイッチ１４の所望の各端子に接続されている。個別スイッチ１４は、点灯モードとドアモードが選択できるよう構成されている。
【００２４】
又、電線配策部１５の両端に位置するハウジング１２の左右側壁１２ａで、且つ、互いに対向する位置には、一対の係止凹部１２ｂ（図５に示す）が設けられている。
【００２５】
電線保護カバー１１は、電線配策部１５に配策されたワイヤーハーネスＷＨの各電線ｗを屈曲させることなくストレートの状態で上から覆う電線押さえプレート部２０と、この電線押さえプレート部２０の両端より外側に設けられた一対のワイヤーハーネス係止部２１と、一対の係止凹部１２ｂに係止する係止爪（図示せず）とを備えている。電線押さえプレート部２０の両端付近には、撓み変形用孔２０ａが適所に形成されている。各ワイヤーハーネス係止部２１は、電線押さえプレート部２０より延設された２本の係止アーム２１ａ，２１ｂより構成されている。２本の係止アーム２１ａ，２１ｂの自由端側は、互いに重なり合っている。２本の係止アーム２１ａ，２１ｂを強制的に撓み変形させることにより２本の係止アーム２１ａ，２１ｂの自由端側を離間させることができ、強制力を解除すると撓み復帰変形によって２本の係止アーム２１ａ，２１ｂの自由端側は元のように重なり合う。
【００２６】
図４に詳しく示すように、スイッチユニット４は、装置本体３０と、この装置本体３０にヒンジ部３１を介して連結され、装置本体３０に装着された電線保護カバー３２とを有する。装置本体３０は、ハウジング３３と、このハウジング３３に設けられたモード切替スイッチ（図示せず）とを有する。ハウジング３３の一方の面側には電線配策部３５（図５に示す）が設けられている。この電線配策部３５にはワイヤーハーネスＷＨの各電線ｗを仕切る複数の仕切突起３６と共に複数の圧接端子３７が立設されている。各圧接端子３７は、バスバー（図示せず）の一端側を利用して形成されている。各バスバーの他端側は、モード切替スイッチの所望の各端子に接続されている。モード切替スイッチは、全点灯モードとドアモードと消灯モードが選択できるよう構成されている。
【００２７】
又、ハウジング３３の両側面には、一対のワイヤーハーネス係止部３８が突設されている。各ワイヤーハーネス係止部３８は、ハウジング３３より延設された２本の係止アーム３８ａ，３８ｂより構成されている。２本の係止アーム３８ａ，３８ｂの自由端側は、互いに重なり合っている。
【００２８】
又、電線配策部３５の両端に位置するハウジング３３の左右側壁３３ａで、且つ、互いに対向する位置には、一対の係止凹部３３ｂ（図５に示す）が設けられている。
【００２９】
電線保護カバー３２は、電線配策部３５に配策されたワイヤーハーネスＷＨの各電線ｗを屈曲させることなくストレートの状態で上から覆う。電線保護カバー３２には、一対の係止凹部３３ｂに係止する係止爪３２ａが設けられている。電線保護カバー３２の両端付近には、撓み変形用孔３２ｂが適所に形成されている。
【００３０】
図１に戻り、ワイヤーハーネスＷＨは、４本（電源線、グランド線、２本の信号線）の電線ｗから構成されている。ワイヤーハーネスＷＨは、２つのランプユニット２，３とスイッチユニット４の各電線配策部１５，３５を横断するよう配策されている。各電線配策部１５，３５に配策されたワイヤーハーネスＷＨの箇所は、上記したように各電線保護カバー１１，３２によって覆われていると共に各電線ｗが所望の圧接端子１７，３７にそれぞれ圧接接続されている。ワイヤーハーネスＷＨの電線保護カバー１１，３２の両側より出た箇所は、屈曲されて各ワイヤーハーネス係止部２１，３８にそれぞれ係止されている。これによって、ワイヤーハーネスＷＨは、ストレインリリーフ構造とされている。ワイヤーハーネスＷＨに引っ張り力が作用すると、その引っ張り力がストレインリリーフ構造によって圧接端子１７，３７との圧接箇所に直接作用しないようになっている。
【００３１】
上記した室内照明装置１では、モード切替スイッチによって消灯モードが選択されると、各個別スイッチ１４によって点灯モードが選択されてもいずれのランプも点灯されない。モード切替スイッチによってドアモードが選択され、且つ、各個別スイッチ１４によって点灯モードが選択されると、当該個別スイッチ１４に対応するランプ（図示せず）がドアの開閉状態に係わらず点灯される。モード切替スイッチによってドアモードが選択され、且つ、個別スイッチ１４によってもドアモードが選択されると、ドアの開放を条件としてランプ（図示せず）が点灯される。モード切替スイッチによって全点灯モードが選択されると、各個別スイッチ１４の選択モードに係わらず、且つ、ドアの開閉状態に係わらず全てのランプ（図示せず）が点灯される。このように、乗員の好みに応じてランプ（図示せず）の点灯パターンを選択できる。
【００３２】
次に、室内照明装置１にワイヤーハーネスＷＨを配策する作業について説明する。図５及び図６に示すように、２つのランプユニット２，３と１つのスイッチユニット４の各装置本体１０，３０を所定の間隔で、且つ、各装置本体１０，３０の電線配策部１５，３５を一直線上になる位置にセットする。次に、一直線上としたワイヤーハーネスＷＨを各電線配策部１５，３５の所定位置にセットし、セットしたワイヤーハーネスＷＨの各電線ｗを各電線配策部１５，３５の各圧接端子１７，３７側に一括して押圧する。すると、ワイヤーハーネスＷＨの各電線ｗが各電線配策部１５，３５の所望の圧接端子１７，３７に一括して圧接接続される。
【００３３】
次に、図７及び図８に示すように、圧接接続したワイヤーハーネスＷＨを覆うように各電線保護カバー１１，３２を装置本体１０，３０に装着すれば圧接作業が完了する。
【００３４】
ワイヤーハーネスＷＨの圧接作業後に、３つのユニット２，３，４の各電線保護カバー１１，３２より出たワイヤーハーネスＷＨの箇所をそれぞれ屈曲させる。そして、屈曲させたワイヤーハーネスＷＨの各箇所を、２本の係止アーム２１ａ，２１ｂ，３８ａ，３８ｂをその双方の自由端側に隙間ができるように撓み変形することによってワイヤーハーネス係止部２１，３８に係止する。これによって、ワイヤーハーネスＷＨをストレインリリーフ構造にする。以上によって、図１〜図４に示すように、室内照明装置１の組み付けが完了する。
【００３５】
この実施の形態では、各ユニット２，３，４には、ワイヤーハーネスＷＨの電線保護カバー１１，３２より出た箇所を屈曲させた状態で係止するワイヤーハーネス係止部２１，３８を設けたので、電線ｗの圧接作業に際してワイヤーハーネスＷＨを屈曲させる必要がない。そして、ワイヤーハーネスＷＨの圧接作業後に、ワイヤーハーネスＷＨを屈曲させてワイヤーハーネス係止部２１，３８に係止することによってワイヤーハーネスＷＨをストレインリリーフ構造にする。従って、ワイヤーハーネスＷＨの圧接作業が容易で、しかも、ワイヤーハーネスＷＨを容易にストレインリリーフ構造にできる。
【００３６】
この実施の形態では、各ランプユニット２，３のワイヤーハーネス係止部２１は、電線保護カバー１１に設けられているので、ワイヤーハーネスＷＨの圧接作業に際してワイヤーハーネス係止部２１が圧接作業の邪魔になることがない。従って、ワイヤーハーネスＷＨの圧接作業性が更に良くなる。
【００３７】
この実施の形態では、スイッチユニット４のワイヤーハーネス係止部３８は、装置本体３０のハウジング３３に設けられているので、ワイヤーハーネスＷＨの撓み復帰力に起因する不具合を防止できる。つまり、ワイヤーハーネス係止部３８は、ワイヤーハーネスＷＨの屈曲箇所より撓み復帰による反力を受けるが、ワイヤーハーネス係止部３８は装置本体３０に設けられていることからワイヤーハーネスＷＨの反力を確実に受け止めることができる。従って、ワイヤーハーネスＷＨの反力によってワイヤーハーネスＷＨの圧接端子３７への圧接深さが浅くなったり、電線保護カバー３２が脱落方向に変移したりするような不具合を防止できる。
【００３８】
この実施の形態では、ワイヤーハーネス係止部２１，３８は、電線保護カバー１１又は装置本体３０のハウジング３３より延設され、且つ、双方の自由端側が互いに重なり合うように形成された２本の係止アーム２１ａ，２１ｂ，３８ａ，３８ｂにて構成されている。従って、２本の係止アーム２１ａ，２１ｂ，３８ａ，３８ｂの双方の自由端側を撓み変形によって隙間が出来る方向に変移させてワイヤーハーネスＷＨを係止できる。又、ワイヤーハーネスＷＨを係止した後は、撓み復帰変形によって２本の係止アーム２１ａ，２１ｂ，３８ａ，３８ｂの自由端側が重なり合う状態に戻るため、ワイヤーハーネスＷＨを確実に係止できる。従って、ワイヤーハーネスＷＨの係止作業が容易であり、しかも、ワイヤーハーネスＷＨの係止後にはワイヤーハーネスＷＨを確実に係止できる。
【００３９】
図９は第１変形例に係るランプユニットの断面図である。図９に示すように、第１変形例のランプユニット２Ａ（３Ａ）は、前記実施の形態のものと比較するに、一対のワイヤーハーネス係止部２１が装置本体１０のハウジング１２に設けられている点が相違する。他の構成は、前記実施の形態のものと同様であるため、説明を省略する。尚、図９において、前記実施の形態と同一構成の箇所には同一符号を付して明確化を図る。
【００４０】
この第１変形例のランプユニット２Ａ（３Ａ）によれば、ワイヤーハーネス係止部２１は、装置本体１０のハウジング１２に設けられているので、ワイヤーハーネスＷＨの撓み復帰力に起因する不具合を防止できる。つまり、ワイヤーハーネス係止部２１はワイヤーハーネスＷＨの屈曲箇所より撓み復帰による反力を受けるが、ワイヤーハーネス係止部２１は装置本体１０に設けられていることからワイヤーハーネスＷＨの反力を確実に受け止めることができる。従って、ワイヤーハーネスＷＨの反力によってワイヤーハーネスＷＨの圧接端子１７への圧接深さが浅くなったり、電線保護カバー１１が脱落方向に変移したりするような不具合を防止できる。
【００４１】
図１０は第２変形例に係るランプユニットの斜視図である。図１０に示すように、第２変形例のランプユニット２Ｂ（３Ｂ）は、前記実施の形態と比較するに、各ワイヤーハーネス係止部２１の構成のみが相違する。この第２変形例のワイヤーハーネス係止部２１は、電線保護カバー１１より延設された１本の係止アーム２１ｃより構成されている。１本の係止アーム２１ｃは、その自由端側が電線保護カバー１１の側面に密着している。１本の係止アーム２１ｃの自由端側を撓み変形によって電線保護カバー１１の側面との間に隙間が出来る方向に変移させてワイヤーハーネスＷＨを係止する。又、ワイヤーハーネスＷＨを係止した後は、撓み復帰変形によって１本の係止アーム２１ｃの自由端側が電線保護カバー１１の側面に密着する状態に戻るため、ワイヤーハーネスＷＨを確実に係止できる。
【００４２】
また、前記実施の形態では、スイッチユニット４のワイヤーハーネス係止部３８は、電線保護カバー１１に設けられているが、装置本体１０のハウジング１２に設けても良い。又、スイッチユニット４のワイヤーハーネス係止部３８は、図１０に示すように、１本の係止アームにて構成しても良い。
【図面の簡単な説明】
【００４３】
【図１】本発明の一実施の形態を示し、室内照明装置の斜視図である。
【図２】本発明の一実施の形態を示し、ランプユニットの斜視図である。
【図３】本発明の一実施の形態を示し、ランプユニットの断面図である。
【図４】本発明の一実施の形態を示し、スイッチユニットの斜視図である。
【図５】本発明の一実施の形態を示し、組み付け過程途中であり、ワイヤーハーネスの圧接作業後の室内照明装置の斜視図である。
【図６】本発明の一実施の形態を示し、図５の組み付け過程途中のランプユニットの断面図である。
【図７】本発明の一実施の形態を示し、組み付け加点途中であり、保護カバーを照明本体に装着した室内照明装置の斜視図である。
【図８】本発明の一実施の形態を示し、図７の組み付け過程途中のランプユニットの断面図である。
【図９】第１変形例に係るランプユニットの断面図である。
【図１０】本発明の一実施形態を示し、第２変形例に係るランプユニットの斜視図である。
【図１１】従来例の室内照明装置の分解斜視図である。
【図１２】従来例のランプユニットの分解斜視図である。
【符号の説明】
【００４４】
２，２Ａ，２Ｂ，３，３Ａ，３Ｂ  ランプユニット（室内照明用機器）
４  スイッチユニット（室内照明用機器）
１０，３０  装置本体
１１，３２  電線保護カバー
１５，３５  電線配策部
１７，３７  圧接端子
２１，３８  ワイヤーハーネス係止部
２１ａ，２１ｂ，３８ａ，３８ｂ  係止アーム
【図１】
2009067089.tif 000003
【図２】
2009067089.tif 000004
【図３】
2009067089.tif 000005
【図４】
2009067089.tif 000006
【図５】
2009067089.tif 000007
【図６】
2009067089.tif 000008
【図７】
2009067089.tif 000009
【図８】
2009067089.tif 000010
【図９】
2009067089.tif 000011
【図１０】
2009067089.tif 000012
【図１１】
2009067089.tif 000013
【図１２】
2009067089.tif 000014